(57)【要約】【課題】  下ラベルの表面に剥離層が実質的に露出しない多層ラベル連続体を製造する方法を提供する。【解決手段】  下ラベルと下ラベルの表面に剥離可能に貼付された上ラベルとを有する多層ラベルの複数が長尺帯状の離型シートに配置されている多層ラベル連続体の製造方法であって、長尺帯状の下基材原反７２の表面に、上ラベルと略同じ平面視形状の剥離層７９を形成する工程、長尺帯状の上基材原反７３の粘着剤層７７の裏面のうち、剥離層７９に略重ならない範囲に、粘着力を隠蔽するマスキング層７１１を形成する工程、剥離層７９を有する下基材原反７２の表面に、マスキング層７１１を有する上基材原反７３の裏面を積層して積層体原反７１２を作製する工程、上基材原反７３のみを剥離層７９の外形に略対応する位置で切断して切断線７１３を形成する工程、上基材原反７３のうち切断線７１３で囲われた範囲以外を下基材原反７２から除去する工程、を有する。【選択図】  図２１
2018052083.tif 000002
【特許請求の範囲】
【請求項１】
下ラベルと前記下ラベルの表面に剥離可能に貼付され且つ前記下ラベルよりも小面積の上ラベルとを有する多層ラベルの複数が、長尺帯状の離型シートの長手方向に配置されている多層ラベル連続体の製造方法であって、
長尺帯状の下基材原反の表面に、その長手方向に所定間隔を開けて、前記上ラベルと略同じ平面視形状の剥離層を形成する工程、
裏面全体に粘着剤層が設けられた長尺帯状の上基材原反の前記粘着剤層の裏面のうち、前記下基材原反に上基材原反を積層した際に前記剥離層に略重ならない範囲に、粘着剤層の粘着力を隠蔽するマスキング層を形成する工程、
前記剥離層が形成された下基材原反の表面に、前記マスキング層が形成された上基材原反の裏面を積層して積層体原反を作製する工程、
前記積層体原反のうち上基材原反のみを、前記剥離層の外形に略対応する位置で切断して切断線を形成する工程、
前記切断後の上基材原反のうち前記切断線で囲われた範囲以外を下基材原反から除去する工程、
を有する、多層ラベル連続体の製造方法。
【請求項２】
容器と、前記容器に装着された多層ラベルと、を有し、
前記多層ラベルが、少なくとも第１側端部を除く表面に剥離層が設けられた下ラベルと、裏面に粘着剤層が設けられ且つ前記下ラベルよりも小面積の上ラベルであって、前記粘着剤層を前記下ラベルの剥離層の表面に重ねて貼付されている上ラベルと、を有し、
前記多層ラベルが、前記容器の周りに巻き付けられ、且つ下ラベルの第１側端部の表面に下ラベルの第２側端部の裏面を重ね合わせて接着されている、ラベル付き容器。
【発明の詳細な説明】
【技術分野】
【０００１】
本発明は、下ラベルの表面に小面積の上ラベルが剥離可能に貼付された多層ラベルが複数設けられた多層ラベル連続体の製造方法などに関する。
【背景技術】
【０００２】
下ラベルと前記下ラベルよりも小面積の上ラベルとを有する多層ラベルが知られている（特許文献１及び２）。かかる多層ラベルは、特許文献１のように、その複数が離型シート上の長手方向に並んで配置されて供給される。
特許文献１及び２の多層ラベルは、上ラベルの裏面に粘着剤層が設けられ、その粘着剤層が下ラベルの表面に設けられた剥離層の上に重ね合わされることによって、上ラベルを下ラベルから剥離することができる。
しかしながら、特許文献１及び２の多層ラベルは、上ラベルが積層されていない部分（つまり、下ラベルのみが存在する一重部分）における下ラベルの表面にも剥離層が設けられているため、多層ラベル連続体をラベラー（ラベル装着装置）に装填し、その連続体をラベラーのライン上で搬送した際に剥離層が削り取られ、剥離層の削り滓がラベラーに付着するという問題点がある。このような削り滓がラベラーに付着することにより、ラベラーのメンテナンス作業が煩雑となる。
【０００３】
また、多層ラベルの容器への装着形態として、多層ラベルを容器に巻き付け、第１側端部の表面に第２側端部の裏面を重ね合わせて接着するという形態が知られている。このような装着形態のラベルは、巻付けラベルとも呼ばれる。かかる巻き付け形態で多層ラベルをラベラーにて容器に装着する場合、ラベラーのライン上に多層ラベル連続体を長手方向に送り、その長手方向第１側（連続体の送り先頭側）に位置する多層ラベルの端部（第１側端部）を先ず容器に貼り付けた後、多層ラベルを容器に巻き付け、その第１側端部の表面に第２側端部の裏面を貼付する。
しかしながら、特許文献１の多層ラベル連続体は、長手方向第１側及び第２側に位置する多層ラベル（下ラベル）の第１側端部及び第２側端部の表面に、剥離層が設けられているため、巻き付け形態で多層ラベルを容器に装着した際に、第２側端部の裏面が第１側端部の剥離層の表面に貼付される。このため、第２側端部が第１側端部に対して接着不十分となったラベル付き容器が得られるという問題点がある。
【先行技術文献】
【特許文献】
【０００４】
【特許文献１】特開２００７−４７４１６号公報
【特許文献２】特開２００３−１０８００２号公報
【発明の概要】
【発明が解決しようとする課題】
【０００５】
本発明の第１の目的は、下ラベルの表面に剥離層が実質的に露出しない多層ラベル連続体を製造する方法を提供することである。
本発明の第２の目的は、多層ラベルが巻き付け形態で容器に装着されたラベル付き容器において、多層ラベルの端部が捲れ難いラベル付き容器を提供することである。
【課題を解決するための手段】
【０００６】
本発明の多層ラベル連続体の製造方法は、下ラベルと前記下ラベルの表面に剥離可能に貼付され且つ前記下ラベルよりも小面積の上ラベルとを有する多層ラベルの複数が、長尺帯状の離型シートの長手方向に配置されている多層ラベル連続体の製造方法であって、長尺帯状の下基材原反の表面に、その長手方向に所定間隔を開けて、前記上ラベルと略同じ平面視形状の剥離層を形成する工程、裏面全体に粘着剤層が設けられた長尺帯状の上基材原反の前記粘着剤層の裏面のうち、前記下基材原反に上基材原反を積層した際に前記剥離層に略重ならない範囲に、粘着剤層の粘着力を隠蔽するマスキング層を形成する工程、前記剥離層が形成された下基材原反の表面に、前記マスキング層が形成された上基材原反の裏面を積層して積層体原反を作製する工程、前記積層体原反のうち上基材原反のみを、前記剥離層の外形に略対応する位置で切断して切断線を形成する工程、前記切断後の上基材原反のうち前記切断線で囲われた範囲以外を下基材原反から除去する工程、を有する。
【０００７】
本発明の別の局面によれば、ラベル付き容器を提供する。
本発明のラベル付き容器は、容器と、前記容器に装着された多層ラベルと、を有し、
前記多層ラベルが、少なくとも第１側端部を除く表面に剥離層が設けられた下ラベルと、裏面に粘着剤層が設けられ且つ前記下ラベルよりも小面積の上ラベルであって、前記粘着剤層を前記下ラベルの剥離層の表面に重ねて貼付されている上ラベルと、を有し、
前記多層ラベルが、前記容器の周りに巻き付けられ、且つ下ラベルの第１側端部の表面に下ラベルの第２側端部の裏面を重ね合わせて接着されている。
【発明の効果】
【０００８】
本発明の製造方法によれば、下ラベルの表面に剥離層が実質的に露出していない多層ラベル連続体を比較的容易に製造できる。かかる製法で製造された多層ラベル連続体から得られる多層ラベルは、容器に巻き付けて装着した際に、容器から捲れ難く、上ラベルを下ラベルから容易に剥離することもできる。
【図面の簡単な説明】
【０００９】
【図１】本発明の第１実施形態の第１例に係る多層ラベル連続体の平面図。
【図２】図１のＩＩ−ＩＩ線で切断した拡大断面図。
【図３】図１のＩＩＩ−ＩＩＩ線で切断した拡大断面図。
【図４】本発明の第１実施形態の第２例に係る多層ラベル連続体の平面図。
【図５】図４のＶ−Ｖ線で切断した拡大断面図。
【図６】図４のＶＩ−ＶＩ線で切断した拡大断面図。
【図７】本発明の第１実施形態の第３例に係る多層ラベル連続体の平面図。
【図８】図７のＶＩＩＩ−ＶＩＩＩ線で切断した拡大断面図。
【図９】図７のＩＸ−ＩＸ線で切断した拡大断面図。
【図１０】本発明の第１実施形態の第４例に係る多層ラベル連続体の平面図。
【図１１】図１０のＸＩ−ＸＩ線で切断した拡大断面図。
【図１２】図１０のＸＩＩ−ＸＩＩ線で切断した拡大断面図。
【図１３】（ａ）は、離型シートと粘着剤層と下基材原反がこの順で積層された第１積層シートの側面図、（ｂ）は、離型シートと粘着剤層と上基材原反がこの順で積層された第２積層シートの側面図。
【図１４】本発明の多層ラベル連続体の製造装置の概略側面図。
【図１５】図１４の白抜き矢印ＸＶ方向から見た平面図（下基材原反を表面側から見た平面図）。
【図１６】図１４の白抜き矢印ＸＶＩ方向から見た平面図（上基材原反を裏面側から見た平面図）。
【図１７】積層体原反の側面図。
【図１８】図１４の白抜き矢印ＸＶＩＩＩ方向から見た平面図（積層体原反を表面側から見た平面図）。
【図１９】図１８のＸＩＸ−ＸＩＸ線で切断した拡大断面図。
【図２０】図１４の白抜き矢印ＸＸ方向から見た平面図（積層体原反の上基材原反に切断線を形成した状態を表面側から見た平面図）。
【図２１】図２０のＸＸＩ−ＸＸＩ線で切断した拡大断面図。
【図２２】上基材原反に形成する切断線の形成位置の変形例を示す拡大断面図。
【図２３】上基材原反に形成する切断線の形成位置の変形例を示す拡大断面図。
【図２４】上基材原反に形成する切断線の形成位置の変形例を示す拡大断面図。
【図２５】図１４の白抜き矢印ＸＸＶ方向から見た平面図（下基材原反の表面に複数の上ラベルが貼付された連続体を表面側から見た平面図）。
【図２６】図１４の白抜き矢印ＸＸＶＩ方向から見た平面図（下基材原反に切断線を形成した状態を表面側から見た平面図）。
【図２７】第１実施形態のラベル付き容器の正面図。
【図２８】図２７のＸＸＶＩＩＩ−ＸＸＶＩＩＩ線で切断した拡大断面図。
【図２９】第１実施形態のラベル付き容器の製造過程（第１実施形態の多層ラベルを容器に装着する過程）を示す正面図。
【図３０】第２実施形態に係る多層ラベル連続体の平面図。
【図３１】第３実施形態に係る多層ラベル連続体の平面図。
【図３２】第３実施形態のラベル付き容器の製造過程（第３実施形態の多層ラベルを容器に装着する過程）を示す正面図。
【図３３】同製造過程を示す正面図。
【図３４】第３実施形態のラベル付き容器の正面図。
【発明を実施するための形態】
【００１０】
以下、本発明の実施の形態について図面を参照しながら説明する。
本明細書において、上ラベル、下ラベル、多層ラベル及びこれらの構成要素（以下、これら上ラベルなどを総称して、ラベル構成要素という）の「表面」は、多層ラベルを容器に装着した際に、容器の外側となる面を指し、同「裏面」は、その反対側の面を指す。ラベル構成要素の「横方向」は、これの面内における任意の１つの方向であり、同「縦方向」は、前記横方向と直交する方向である。
また、平面視は、ラベル構成要素の表面に対して鉛直方向から見たときの形状をいう。
「〜」で表される数値範囲は、「〜」の前後の数値を下限値及び上限値として含む数値範囲を意味する。複数の下限値と複数の上限値が別個に記載されている場合、任意の下限値と任意の上限値を選択し、「〜」で結んだ範囲とすることができるものとする。
各断面図において、各構成要素の大きさ及び厚みは、実際の製品とは異なっていることに留意されたい。
【００１１】
（第１実施形態）
［多層ラベル連続体及び多層ラベル］
図１乃至図３は、本発明の第１実施形態の第１例に係る多層ラベル連続体１０及び多層ラベル１を示し、図４乃至図６は、第１実施形態の第２例に係る多層ラベル連続体１０及び多層ラベル１を示し、図７乃至図９は、第１実施形態の第３例に係る多層ラベル連続体１０及び多層ラベル１を示し、図１０乃至図１２は、第１実施形態の第４例に係る多層ラベル連続体１０及び多層ラベル１を示す。
各例の多層ラベル連続体１０及び多層ラベル１について、共通する事項は纏めて説明し、異なる部分はその都度説明するものとする。
【００１２】
図１乃至図１２において、多層ラベル連続体１０は、長尺帯状の離型シート２と、前記離型シート２の長手方向に並んで配置された複数の多層ラベル１と、を有する。
なお、図１、図４、図７及び図１０では、離型シート２の幅方向において多層ラベル１が１列だけ貼付されている多層ラベル連続体１０を図示しているが、多層ラベル連続体１０は、多層ラベル１が幅方向に２列以上配置された複列のものであってもよい（図示せず）。
複数の多層ラベル１は、その横方向を離型シート２の長手方向と略平行とし、その第１側端部を長尺帯状の離型シート２の長手方向第１側に向け且つその第２側端部を離型シート２の長手方向第２側に向けて、離型シート２の上に貼付されている。
【００１３】
ここで、本明細書において、「長尺帯状」は、長手方向の長さが幅方向に比して十分に大きい平面視略長方形状であり、例えば、長手方向の長さが幅方向の長さの５倍以上、好ましくは２０倍以上である。また、長尺帯状の長手方向の長さは、例えば、１０ｍ以上であり、好ましくは１００ｍ以上である。
長手方向第１側と第２側は、長手方向において向かい合った側である（第１側は、長手方向において第２側の反対側である）。
また、本明細書において、第１側端部と第２側端部は、ラベル構成要素の縦方向に延在する端部であり、第１側端部と第２側端部は、横方向において向かい合った端部である（第１側端部は、横方向において第２側端部の反対側の端部である）。第３側端部と第４側端部は、ラベル構成要素の横方向に延在する端部であり、第３側端部と第４側端部は、縦方向において向かい合った端部である。
【００１４】
前記離型シート２は、長尺帯状のシートの表面に剥離剤などを塗工することにより離型面が形成されたものである。剥離剤としては、代表的には、シリコーンなどを含む樹脂溶液が挙げられる。なお、離型シート２として、表面離型性を有するシートを用いる場合には、前記剥離剤の塗工は省略される。
離型シート２に用いられるシートは、容易に破断しない程度の機械的強度を有しているものであれば特に限定されず、例えば、合成樹脂製シート、紙、合成紙などが挙げられる。
前記離型シート２の厚みは、特に限定されず、例えば、２０μｍ〜３００μｍ程度が挙げられる。また、離型シート２の幅は、多層ラベル１の幅と同じでもよいが、通常、多層ラベル１の幅よりも数ｍｍ〜数ｃｍ大きい幅の離型シート２が用いられる。
【００１５】
多層ラベル１は、下ラベル３と、下ラベル３の表面上に剥離可能に積層された上ラベル４と、を有する。上ラベル４は、平面視において、下ラベル３の面積よりも小さい。つまり、上ラベル４は、下ラベル３よりも小面積である。
上ラベル４の積層位置は、特に限定されず、図１などに示すように、上ラベル４の１つの縁が下ラベル３の１つの縁に一致するように上ラベル４が下ラベル３に積層されていてもよく、特に図示しないが、上ラベル４の２つの縁又は３つの縁が下ラベル３の２つの縁又は３つの縁に一致するように上ラベル４が下ラベル３に積層されていてもよく、或いは、上ラベル４の全ての縁（周縁）が下ラベル３の全ての縁に一致せず、上ラベル４が下ラベル３の表面内に積層されていれてもよい。なお、周縁は、ラベル構成要素の周囲の縁を指す。
【００１６】
図示例では、上ラベル４の第４側端が下ラベル３の第４側端に一致するように上ラベル４が下ラベル３に貼付されている。本明細書において、第１側端と第２側端は、ラベル構成要素の第１側端部の縁と第２側端部の縁であり、第３側端と第４側端は、ラベル構成要素の第３側端部の縁と第４側端部の縁である。
従って、下ラベル３の第１側端部、第２側端部及び第３側端部の表面には、上ラベル４が積層されておらず、下ラベル３の表面のうち第１側端部、第２側端部及び第３側端部の表面が露出している。
なお、特に図示しないが、下ラベル３の表面のうち第１側端部及び第２側端部のみが露出していてもよく、或いは、下ラベル３の表面のうち第１側端部又は第２側端部のいずれかのみが露出していてもよく、或いは、下ラベル３の表面のうち第１側端部、第２側端部、第３側端部及び第４側端部が露出していてもよい。下ラベル３の端部の表面のうち少なくとも第１側端部が露出していることが好ましい。
後述するように、下ラベル３の表面のうち、上ラベル４が積層されておらず且つ側端部の表面が露出した部分は、剥離層を有さない。
【００１７】
下ラベル３は、下基材３１と、下基材３１の裏面に設けられた粘着剤層３２と、下基材３１の表面に設けられた剥離層５と、を有する。なお、下基材３１に設けられた粘着剤層３２を「下粘着剤層３２」という。
多層ラベル１は、離型シート２の表面に、前記下ラベル３の下粘着剤層３２を介して剥離可能に貼付されている。
ここで、本明細書において、「剥離可能」は、接着された２つの部材を、その部材を材料破壊させないで、標準的な成人の手の力で容易に剥がすことができることをいう。また、「剥離可能に貼付」又は「剥離可能に接着」は、いずれも同じ意味であり、前記のように容易に剥がすことができる接着強度で２つの部材が接着されていることをいう。
【００１８】
下基材３１は、柔軟且つ薄いシートからなる。なお、本明細書において、「シート」は、一般にフィルムと呼ばれている枚葉体が含まれる。
前記下基材３１に用いられるシートは、特に限定されず、例えば、合成樹脂シート、発泡樹脂シート、紙、合成紙、不織布、織り生地又はこれらから選ばれる少なくとも１種のシートを含む積層シートなどが挙げられる。前記下基材３１として用いられる合成樹脂シートなどのシートには、紫外線吸収剤が含有されていてもよい。
【００１９】
好ましくは、下基材３１は、合成樹脂シート、紙、合成紙又はこれらから選ばれる少なくとも１種を含む積層シートが用いられる。前記積層シートは、ガスバリア層や光バリア層などのバリア層が一体的に積層されていてもよい。バリア層としては、例えば、アルミニウム箔などの金属箔又は金属蒸着膜、無機化合物蒸着膜（酸化ケイ素蒸着膜、酸化アルミニウム蒸着膜など）などが挙げられる。
合成樹脂シートの材質は、特に限定されず、従来公知のものを用いることができ、例えば、ポリエチレンテレフタレート、ポリ乳酸などのポリエステル系樹脂；ポリプロピレン、ポリエチレン、環状オレフィン系樹脂などのポリオレフィン系樹脂；ポリスチレン、スチレン−ブタジエン共重合体などのポリスチレン系樹脂；ポリ塩化ビニル系樹脂などの熱可塑性樹脂から選ばれる１種又は２種以上の混合物などが挙げられる。
【００２０】
また、前記下基材３１は、熱収縮性を有していてもよく、熱収縮性を有さないシートを用いてもよいが、好ましくは、熱収縮性を有するシートが用いられる。ここで、熱収縮性は、所定温度（例えば、７０℃〜１２０℃）に加熱されると所定方向に収縮する性質をいう。
熱収縮性を有する下基材３１は、少なくとも横方向に主として熱収縮するように構成され、縦方向に熱変化するものでもよい。なお、後述するように、多層ラベル１の容器への装着形態として、その横方向を容器の周囲に巻き付けて装着する場合には、多層ラベル１や下ラベル３などのラベル構成要素の横方向は、容器に装着された際に周方向となる。
前記下基材３１の横方向（熱収縮方向）における熱収縮率は、特に限定されないが、好ましくは２０％以上であり、より好ましくは３０％以上である。なお、前記横方向における熱収縮率の上限は、理論上、１００％未満であるが、現実的には、自ずと限界があるので、例えば、８０％以下である。前記下基材３１が縦方向に熱変化（熱収縮又は熱伸長）する場合、その下基材３１の縦方向の熱収縮率は、例えば、−１％〜５％である。なお、熱収縮率のマイナスは、熱伸張を意味する。
ただし、前記熱収縮率は、加熱前の基材の長さ（元の長さ）と、９０℃の温水中に１０秒間浸漬した後の基材の長さ（浸漬後の長さ）を、下記式に代入して求められる。
前記熱収縮率（％）＝［｛（横方向又は縦方向の元の長さ）−（横方向又は縦方向の浸漬後の長さ）｝／（横方向又は縦方向の元の長さ）］×１００。
【００２１】
下基材３１には、必要に応じて、デザインを表すデザイン層（図示せず）が設けられていてもよい。デザイン層は、通常、印刷インキを用いてデザインを印刷することによって形成される。デザイン層は、下基材３１の表面若しくは裏面又は表面及び裏面に設けられる。例えば、デザイン層に、光バリア性を付与できる顔料を混合することにより、デザイン層を遮光印刷層として用いることもできる。
【００２２】
下基材３１は、透明（無色透明又は有色透明）又は不透明の何れでもよいが、前記のように裏面にデザイン層が設けられる場合には、通常、透明な下基材３１が用いられる。
下基材３１の厚みは、特に限定されない。下基材３１は、そのシートの材質にもよるが、例えば、１５μｍ〜５００μｍである。
下基材３１の平面視形状は、特に限定されないが、通常、平面視略矩形状に形成される。矩形状は、長方形状又は正方形状という意味である。
【００２３】
下基材３１の裏面には、下粘着剤層３２が設けられている。
下粘着剤層３２は、図示例のように、下基材３１の裏面全体に設けられていてもよい。この場合、下ラベル３の裏面全体が下粘着剤層３２の裏面で構成されるので、下ラベル３の裏面全体が粘着面となる。この場合、下ラベル３の裏面全体が離型シート２に剥離可能に接着される。
また、下粘着剤層３２が下基材３１の裏面の一部分を除いて設けられていてもよい（図示せず）。この場合、下ラベル３の裏面のうち下粘着剤層３２が設けられた部分が粘着面となる。この場合、下ラベル３の裏面の一部分が離型シート２に剥離可能に接着される。
また、下粘着剤層３２が下基材３１の裏面全体に設けられ且つその下粘着剤層３２の裏面の一部分にマスキング層が設けられていてもよい（図示せず）。この場合、下ラベル３の裏面のうちマスキング層が設けられた部分は非粘着面となり、マスキング層が設けられていない部分である下粘着剤層３２の裏面が露出した部分が粘着面となる。この場合、下ラベル３の裏面の一部分が離型シート２に剥離可能に接着される。
【００２４】
前記下粘着剤層３２は、公知の粘着剤からなる。粘着剤は、被着体に接着及び剥離可能で、剥離後、再接着できるもの（再貼付可能なもの）である。粘着剤は、特に限定されず、通常、感圧型粘着剤が用いられる。前記感圧型粘着剤は、常温で粘着性を有し、加圧されることにより流動し被着体に接着するゲル状の粘着剤である。また、前記粘着剤として、ホットメルト粘着剤を用いることもできる。ホットメルト粘着剤は、加熱することによって軟化して塗工できる粘着剤であって、常温で強い粘着力を有すると共に剥離可能な粘着性を有するものである。本明細書においては、前記ホットメルト粘着剤も、感圧型粘着剤の範疇に含まれる。ホットメルト粘着剤は、特に限定されず、例えば、スチレン−イソプレン系ブロック共重合体やポリスチレン−ポリブタジエン系ブロック共重合体などのゴム系ホットメルト粘着剤、エチレン−酢酸ビニル共重合体、エチレン−アクリル酸共重合体などのエチレン系樹脂と粘着付与剤を主成分とするホットメルト粘着剤などの公知のものを用いることができる。
なお、下粘着剤層３２を形成する粘着剤として、紫外線吸収剤などが含有された粘着剤を用いてもよい。
【００２５】
前記下粘着剤層３２は、透明、半透明又は不透明の何れでもよい。
また、下粘着剤層３２の厚みは、特に限定されないが、通常、１０μｍ〜３０μｍであり、好ましくは、１５μｍ〜２５μｍである。下粘着剤層３２は、全体的に略均一な厚みで下基材３１に積層されていることが好ましい。
【００２６】
剥離層５は、上ラベル４の裏面に設けられた粘着剤層４２が下ラベル３から剥がれ易くするために、下ラベル３の表面に設けられている。
図１乃至図３に示す第１例及び図７乃至図９に示す第３例では、剥離層５は、平面視で、上ラベル４よりも少し大きな形状に形成されている。この場合、平面視で、剥離層５の周縁の全部又は一部が、上ラベル４の周縁の全部又は一部からはみ出している。
この剥離層５のはみ出し部分（延出部分）の幅５Ｗ（図１及び図７参照）は、特に限定されず、例えば、０．１ｍｍ〜３ｍｍであり、好ましくは、１ｍｍ〜２ｍｍである。
第１例及び第３例の図示例では、剥離層５は、上ラベル４の第１側端、第２側端及び第３側端から延出されているが、剥離層５はその周端部の全体に亘って上ラベル４の周縁から延出されていてもよい。また、剥離層５の周端部の一部分だけが上ラベル４の周縁から延出されていてもよい。例えば、剥離層５の第１側端部及び第２側端部のみが上ラベル４の周縁から延出されている場合、或いは、剥離層５の第１側端部のみが上ラベル４の周縁から延出されている場合などが挙げられる（図示せず）。なお、周端部は、ラベル構成要素の周囲の端部を指す。
図４乃至図６に示す第２例では、剥離層５は、平面視で、上ラベル４と同形同大に形成されている。
図１０乃至図１２に示す第４例では、剥離層５は、平面視で、上ラベル４よりも少し小さな形状に形成されている。
【００２７】
剥離層５を設ける位置は、下基材３１の表面内であれば特に限定されず、上ラベル４を積層する位置に対応して剥離層５は配置される。
剥離層５は、下ラベル３の表面に剥離剤を塗工することによって形成されている。剥離層５を構成する剥離剤としては、例えば、シリコーン樹脂を含む剥離剤が挙げられ、好ましくは、シリコーン樹脂を含む紫外線硬化型の剥離剤が挙げられる。剥離剤の塗工方法は、特に限定されず、従来公知の印刷法、塗工法が用いられる。
剥離層５の厚みは、特に限定されず、例えば、０．３μｍ〜１０μｍであり、好ましくは、０．５μｍ〜５μｍである。
【００２８】
下基材３１の表面のうち、前記剥離層５を有さない部分は、下基材３１の表面そのものが露出している。つまり、剥離層５が積層された部分における下基材３１の表面は前記剥離層５で隠されているが、剥離層５が積層されていない部分は、下基材３１の表面が露出されている。
図示例では、下基材３１の第１側端部、第２側端部及び第３側端部の表面には、剥離層５及び上ラベル４が積層されておらず、これらの端部の表面（下基材３１の表面）そのものが露出している。
【００２９】
上ラベル４は、上基材４１と、上基材４１の裏面に設けられた粘着剤層４２と、を有する。なお、上基材４１に設けられた粘着剤層４２を「上粘着剤層４２」という。
第２例の多層ラベル１については、上ラベル４は、上粘着剤層４２の裏面の端部に、さらに、マスキング層６が設けられている。
【００３０】
上基材４１は、柔軟且つ薄いシートからなる。
上基材４１は、下基材３１よりも小さい。上基材４１の平面視おける大きさは、下基材３１の平面視における大きさよりも小さければ特に限定されないが、例えば、上基材４１は、下基材３１の面積の２／３〜１／１０である。
上基材４１（上ラベル４）の平面視形状は、特に限定されず、例えば、略矩形状、略円形状、略楕円形状、略三角形状、略六角形状などの略多角形状などが挙げられる。本発明において、平面視形状の「略」は、本発明の属する技術分野において許容される形状を意味する。前記平面視略矩形状、略三角形状及び略多角形状の「略」は、例えば、角部が面取りされている形状、辺の一部が僅かに膨らむ又は窪んでいる形状、辺が若干湾曲している形状などが含まれる。また、前記平面視略円形状及び略楕円形状の「略」は、例えば、周の一部が僅かに膨らむ又は窪んでいる形状、周の一部が若干直線又は斜線とされた形状などが含まれる。
図示例では、上基材４１（上ラベル４）は、平面視略長方形状などの略矩形状に形成されている。
【００３１】
前記上基材４１に用いられるシートは、特に限定されず、例えば、合成樹脂シート、発泡樹脂シート、紙、合成紙、不織布、織り生地又はこれらから選ばれる少なくとも１種のシートを含む積層シートなどが挙げられる。前記上基材４１として用いられる合成樹脂シートなどのシートには、紫外線吸収剤が含有されていてもよい。
好ましくは、上基材４１は、合成樹脂シート、紙、合成紙又はこれらから選ばれる少なくとも１種を含む積層シートが用いられる。前記積層シートは、ガスバリア層や光バリア層などのバリア層が一体的に積層されていてもよい。
バリア層や合成樹脂シートとしては、前記下基材３１で例示したようなものが挙げられる。
また、前記上基材４１は、熱収縮性を有していてもよいが、好ましくは、熱収縮性を有さないシートが用いられる。
【００３２】
また、上基材４１には、必要に応じて、デザインを表すデザイン層（図示せず）が設けられていてもよい。デザイン層は、通常、印刷インキを用いてデザインを印刷することによって形成される。デザイン層は、上基材４１の表面若しくは裏面又は表面及び裏面に設けられる。例えば、デザイン層に、光バリア性を付与できる顔料を混合することにより、デザイン層を遮光印刷層として用いることもできる。
上基材４１は、透明（無色透明又は有色透明）又は不透明の何れでもよいが、前記のように裏面にデザイン層が設けられる場合には、通常、透明な上基材４１が用いられる。
上基材４１の厚みは、特に限定されない。上基材４１は、そのシートの材質にもよるが、例えば、１５μｍ〜５００μｍである。
【００３３】
上基材４１の裏面には、上粘着剤層４２が設けられている。
上粘着剤層４２は、上基材４１の裏面全体に設けられている。
前記上粘着剤層４２は、公知の粘着剤からなる。粘着剤としては、前記下粘着剤層３２で例示したようなものを用いることができる。なお、上粘着剤層４２を形成する粘着剤として、紫外線吸収剤などが含有された粘着剤を用いてもよい。
上粘着剤層４２と下粘着剤層３２は、同種の粘着剤を用いてもよく、異種の粘着剤を用いてもよい。
前記上粘着剤層４２は、透明、半透明又は不透明の何れでもよい。
また、上粘着剤層４２の厚みは、特に限定されないが、通常、１０μｍ〜３０μｍであり、好ましくは、１５μｍ〜２５μｍである。上粘着剤層４２は、全体的に略均一な厚みで上基材４１に積層されていることが好ましい。
【００３４】
図１乃至図３に示す第１例においては、下ラベル３の剥離層５の表面に、上粘着剤層４２の裏面が重ねられているが、上粘着剤層４２の端部においてマスキング層６が介在されており、前記マスキング層６を有する端部においては上粘着剤層４２の裏面がマスキング層６を介して剥離層５の表面に積層され、マスキング層６を有さない部分において上粘着剤層４２の裏面が直接的に剥離層５の表面に接着されている。
図１に、マスキング層６が介在している部分を平面視で判り易く図示するため、便宜上、その部分に細い斜線を付している（図４も同様）。
このマスキング層６が介在している部分の幅６Ｗ（図１参照）は、特に限定されず、例えば、０．１ｍｍ〜３ｍｍであり、好ましくは、１ｍｍ〜２ｍｍである。
ただし、第１例については、上述のように、剥離層５の第１側端部、第２側端部及び第３側端部が上ラベル４の周縁よりも外側に延出されている。
【００３５】
図４乃至図６に示す第２例においては、下ラベル３の剥離層５の表面に、剥離層５と同形同大の上粘着剤層４２の裏面が重ねられているが、上粘着剤層４２の端部においてマスキング層６が介在されており、前記マスキング層６を有する端部においては上粘着剤層４２の裏面がマスキング層６を介して剥離層５の表面に積層され、マスキング層６を有さない部分において上粘着剤層４２の裏面が直接的に剥離層５の表面に接着されている。
このマスキング層６が介在している部分の幅６Ｗ（図４参照）は、特に限定されず、例えば、０．１ｍｍ〜３ｍｍであり、好ましくは、１ｍｍ〜２ｍｍである。
なお、第１例及び第２例の多層ラベル１の図示例では、マスキング層６は、上粘着剤層４２の周端部の全体に亘って設けられているが、上粘着剤層４２の周端部の一部分だけであってもよい。例えば、マスキング層６が、上粘着剤層４２の第１側端部及び第２側端部にのみ設けられている場合、或いは、第１側端部、第２側端部及び第３側端部にのみ設けられている場合などが挙げられる（図示せず）。
【００３６】
図７乃至図９に示す第３例においては、下ラベル３の剥離層５の表面に、剥離層５と同形同大の上粘着剤層４２の裏面が重ねられており、（両層の間には介在層がなく）剥離層５の表面に、上粘着剤層４２の裏面が直接的に積層されている。
ただし、第３例については、第１例と同様に、剥離層５の第１側端部、第２側端部及び第３側端部が上ラベル４の周縁よりも外側に延出されている。
【００３７】
図１０乃至図１２に示す第４例においては、上基材４１、上粘着剤層４２及びマスキング層６の各端部が、下ラベル３の剥離層５の周縁から延出されている。この延出されている部分の幅４１Ｗ（図１１参照）は、特に限定されず、例えば、０．１ｍｍ〜３ｍｍであり、好ましくは、１ｍｍ〜２ｍｍである。
【００３８】
第１例乃至第４例の多層ラベル１において、上粘着剤層４２の裏面が剥離層５に直接的に積層されている部分においては上ラベル４は下ラベル３に対して剥離可能に接着されている。
前記剥離可能な部分の接着強度は、人力で剥がすことができる程度であれば特に限定されず、例えば、０．１Ｎ／２５ｍｍ〜３Ｎ／２５ｍｍであり、好ましくは０．３Ｎ／２５ｍｍ〜２Ｎ／２５ｍｍである。
上粘着剤層４２の剥離層５に対する接着強度は、ＪＩＳ  Ｚ  ０２３７に準じて測定される。具体的には、裏面全体に上粘着剤層４２が設けられた上基材４１と、表面全体に離型層が設けられた下基材３１とを、剥離層５の表面に上粘着剤層４２を重ね合わせたものを、幅２５ｍｍ、長さ１００ｍｍに切り取ってサンプルとし、上基材４１を剥離角度１８０度、剥離速さ３００ｍｍ／分、温度を２３℃とした条件下で剥離して測定される値である。
【００３９】
第１例及び第２例の多層ラベル１において、前記マスキング層６は、粘着剤の粘着力を隠蔽する又は弱めるための層である。マスキング層６は上粘着剤層４２の裏面に積層されている。マスキング層６が介在された部分においては、上粘着剤層４２は剥離層５に対して非接着又は極めて弱い接着力で接着（弱接着）する。
マスキング層６を介在させた部分の接着強度は、非接着の場合には零であり、弱接着の場合には、例えば、零を越え０．３Ｎ／２５ｍｍ未満であり、好ましくは零を越え０．１Ｎ／２５ｍｍ未満である。前記マスキング層６を介在させた部分の接着強度は、ＪＩＳ  Ｚ  ０２３７に準じて測定される。具体的には、裏面全体に上粘着剤層４２が設けられ且つその上粘着剤層４２の裏面全体にマスキング層６が設けられた上基材４１と、表面全体に離型層が設けられた下基材３１とを、剥離層５の表面にマスキング層６を重ね合わせたものを、幅２５ｍｍ、長さ１００ｍｍに切り取ってサンプルとし、上基材４１を剥離角度１８０度、剥離速さ３００ｍｍ／分、温度を２３℃とした条件下で剥離して測定される値である。
【００４０】
マスキング層６は、上粘着剤層４２の裏面にマスキング剤を塗布することによって形成できる。マスキング剤は、従来公知のものを用いることができ、例えば、着色剤を含まない紫外線硬化型インキ、着色剤を含む紫外線硬化型インキなどが挙げられる。マスキング層６の厚みは、特に限定されず、その厚みと上粘着剤層４２の粘着力を隠蔽する効果とが比例する。
マスキング層６の厚みは、例えば、１μｍ〜１０μｍである。
マスキング層６は、図示のように上粘着剤層４２の周端部（周囲全体）に設けられていてもよく、上粘着剤層４２の周端部の一部（上粘着剤層４２の端部）のみに設けられていてもよい（図示せず）。図４において、マスキング層６が介在された部分を判り易くするため、その部分に無数のドットを付加している。
【００４１】
なお、上記第１例乃至第４例から選ばれる少なくとも２つの構成を適宜組み合わせてもよい。
例えば、剥離層５及びマスキング層６の各第１側端部における構成が、第１例（図１乃至図３）で示した構成とされ、剥離層５及びマスキング層６の各第２側端部における構成が、第２例（図４乃至図６）で示した構成とされている多層ラベルなどでもよい。つまり、本発明の多層ラベルは、第１例乃至第４例で示した第１側端部乃至第４側端部の構成を任意に組み合わせることができる。
【００４２】
［多層ラベル連続体の製造方法］
本発明の製造方法によって、上記多層ラベル連続体を得ることができる。
本発明の多層ラベル連続体の製造方法は、長尺帯状の下基材原反の表面に剥離層を形成する剥離層形成工程と、裏面全体に粘着剤層が設けられた長尺帯状の上基材原反にマスキング層を形成するマスキング層形成工程と、下基材原反及び上基材原反を重ね合わせて積層体原反を作製する積層体作製工程と、積層体原反のうち上基材原反のみを切断する切断工程と、前記切断後の上基材原反を下基材原反から除去する上基材原反除去工程と、を有する。
【００４３】
本発明の製造方法は、これらの工程以外に、必要に応じて、他の工程を有していてもよい。また、これら各工程を１つの製造ラインで一連に行ってもよいし、或いは、前記各工程から選ばれる１つ又は２つ以上の工程を、１つのラインで行い、且つ残る工程を他の１つ又は２つ以上のラインで行ってもよい。また、前記各工程の全てを一の実施者が行ってもよいし、或いは、前記各工程から選ばれる１つ又は２つ以上の工程を一の実施者が行い、且つ残る工程を他の実施者が行ってもよい。
また、本発明の製造方法は、幅方向に多層ラベル１が１列で配置された多層ラベル連続体１０を製造する場合（単列の多層ラベル連続体１０を製造する場合）、又は、多層ラベル１が幅方向に２列以上配置された多層ラベル連続体１０を製造する場合（複列の多層ラベル連続体１０を製造する場合）の何れにも適用できる。
以下、単列の多層ラベル連続体１０を製造する場合を具体的に説明するが、複列の多層ラベル連続体１０の製造についても単列を複列にすること以外は単列に準じて同様にして実施できる。
【００４４】
＜準備工程＞
長尺帯状の離型シート７１、下基材原反７２及び上基材原反７３を準備する。
例えば、図１３（ａ）に示すように、表面が離型面とされた長尺帯状の離型シート７１と同形同大の長尺帯状の下基材原反７２が下粘着剤層７４を介して積層された第１積層シート７５を準備する。この下粘着剤層７４は、好ましくは感圧粘着剤からなる。なお、下基材原反７２の幅は、離型シート７１の幅よりも小さくてもよいが、好ましくは同形同大のものが用いられる。
同様に、図１３（ｂ）に示すように、表面が離型面とされた長尺帯状の離型シート７６と同形同大の長尺帯状の上基材原反７３が上粘着剤層７７を介して積層された第２積層シート７８を準備する。この上粘着剤層７７は、好ましくは感圧粘着剤からなる。なお、上基材原反７３の幅は、離型シート７６の幅よりも小さくてもよいが、好ましくは同形同大のものが用いられる。
なお、前記第２積層シート７８に代えて、長尺帯状の上基材原反７３のみを準備してもよい。上基材原反７３のみを準備した場合には、後述する＜マスキング層形成工程＞において、マスキング層を形成する前に、上基材原反７３の裏面に粘着剤を塗布することによって上粘着剤層７７を形成すればよい。粘着剤を塗布する装置としては、例えば、ホットメルトコーターなどのコーターが挙げられる。
【００４５】
＜剥離層形成工程＞
図１４は、多層ラベル連続体１０の製造装置の概略側面図である。
図１４において、ロールに巻かれた第１積層シート７５を、その長手方向に繰り出してラインの下流側へと搬送する。なお、図１４の細矢印は、下基材原反７２などの搬送方向を示すものである。
その搬送途中において、下基材原反７２の表面に、その長手方向に所定間隔を開けて剥離層７９を形成していく（図１５参照）。なお、図１５に、剥離層７９を判り易く図示するため、便宜上、剥離層が形成された範囲に無数のドットを付加している。
剥離層７９の形成間隔は、上記で説明した多層ラベル連続体１０（作製予定の多層ラベル連続体）の多層ラベル１の形成間隔と同様に設定される。
【００４６】
剥離層７９は、例えば、図１４に示すような塗布装置Ａ１を用いて、剥離剤を下基材原反７２の表面に塗布することによって形成できる。前記剥離剤を印刷法にて塗布する場合には、塗布装置Ａ１として凸版輪転機などの印刷機が用いられる。
剥離層７９を形成しない範囲には剥離剤を塗布せず、下基材原反７２の表面を無処理とする。
剥離剤を塗布した後、剥離剤の固化方式に従って、紫外線照射又は乾燥などの処理を行うことによって剥離層７９が形成されるが、その紫外線照射などの固化処理装置は図示しない。
また、特に図示しないが、剥離剤の塗布に前後して、下基材原反７２に印刷インキを印刷してデザイン層が必要に応じて設けられる。なお、デザイン層は、下基材原反７２の準備工程で設けておいてもよい。
【００４７】
剥離層７９は、上記多層ラベル１の欄で説明した上ラベル４（作製予定の上ラベル４）と略同じ平面視形状に形成される。
前記略同じ平面視形状とは、剥離層７９の平面視形状が上ラベル４の平面視形状と同じ、又は、剥離層７９の平面視形状が上ラベル４の平面視形状よりも少し大きい形状という意味である。
下基材原反７２の表面において、剥離層７９を、作製予定の上ラベル４と略同じ平面視形状に形成してもよく、或いは、作製予定の上ラベル４の平面視形状よりも少し大きな平面視形状に形成してもよい。
剥離層７９を作製予定の上ラベル４と同じ平面視形状に形成し、後述する切断工程で、その剥離層７９の周縁に沿って上基材原反７３を切断すれば、多層ラベル１の上ラベル４を形成できる。もっとも、長尺帯状の下基材原反７２の長手方向に間隔を開けて複数形成されている剥離層７９の周縁に沿って精度良く上基材原反７３を切断することは実際上困難である。このため、剥離層７９を、上記で説明した上ラベル４（作製予定の上ラベル４）よりも少し大きな平面視形状に形成することが好ましい。
この好ましい例では、下基材原反７２の表面に、図１５に示すように、下基材原反７２の表面を海とし、作製予定の上ラベル４よりも少し大きい剥離層７９を島とする、海島構造が形成される。
【００４８】
＜マスキング層形成工程＞
一方、ロールに巻かれた第２積層シート７８を、図１４に示すように、その長手方向に繰り出してラインの下流側へと搬送する。
その搬送途中において、第２積層シート７８から離型シート７６を剥離して、上基材原反７３の裏面全体に設けられた上粘着剤層７７を露出させる。剥離された離型シート７６は、回収ロールＡ５に回収される。
次に、その上粘着剤層７７の裏面に、その長手方向に所定間隔を開けてマスキング層７１１を形成していく（図１６参照）。なお、図１６に、マスキング層７１１を判り易く図示するため、便宜上、マスキング層が形成された範囲に無数のドットを付加している。
マスキング層７１１の形成間隔は、上記剥離層７９の形成間隔と同様に設定できる。
【００４９】
マスキング層７１１は、例えば、図１４に示すような塗布装置Ａ２を用いて、マスキング剤を上粘着剤層７７の裏面に塗布することによって形成できる。前記マスキング剤を印刷法にて塗布する場合には、塗布装置Ａ２として凸版輪転機などの印刷機が用いられる。
マスキング層７１１を形成しない範囲にはマスキング剤を塗布せず、上粘着剤層７７の裏面を無処理とする。
マスキング剤を塗布した後、マスキング剤の固化方式に従って、紫外線照射又は乾燥などの処理を行うことによってマスキング層７１１が形成されるが、その紫外線照射などの固化処理装置は図示しない。
また、特に図示しないが、マスキング剤の塗布に前後して、上基材原反７３に印刷インキを印刷してデザイン層が必要に応じて設けられる。なお、デザイン層は、上基材原反７３の準備工程で設けておいてもよい。
【００５０】
マスキング層７１１は、長尺帯状の上基材原反７３の上粘着剤層７７の裏面のうち、前記下基材原反７２に上基材原反７３を積層した際に、下基材原反７２の表面に形成した剥離層７９に略重ならない範囲に形成される。マスキング層７１１が形成されない範囲は、上粘着剤層７７の裏面そのものが露出している。以下、マスキング層７１１が形成されない範囲を「上粘着剤露出部」という場合がある。
前記略重ならない範囲に形成されるとは、前記下基材原反７２に形成した剥離層７９の平面視形状と同じ範囲を除いて形成される（換言すると、剥離層７９に対応する範囲を上粘着剤層７７の裏面とし且つ下基材原反７２の表面に対応した範囲にマスキング層７１１を形成する）、又は、前記下基材原反７２に形成した剥離層７９の平面視形状よりも少し小さい範囲を除いて形成される（換言すると、剥離層７９よりも少し小さい範囲を上粘着剤層７７の裏面とし且つ下基材原反７２の表面に対応した範囲及び剥離層７９の周端部に対応した範囲にマスキング層７１１を形成する）という意味である。
【００５１】
上粘着剤層７７の裏面において、マスキング層７１１を剥離層７９の平面視形状と同じ範囲を除いて形成してもよく、或いは、マスキング層７１１を剥離層７９の平面視形状よりも少し小さい範囲を除いて形成してもよい。
マスキング層７１１を剥離層７９の平面視形状と同じ範囲を除いて形成し、上粘着剤露出部を剥離層７９に完全に重なるように積層してもよいが、実際上、前記のように精度良く積層することは困難である。このため、マスキング層７１１を剥離層７９の平面視形状よりも少し小さい範囲を除いて形成することが好ましい。
この好ましい例では、上粘着剤層７７の裏面には、図１６に示すように、マスキング層７１１を海とし、剥離層７９よりも少し小さい上粘着剤露出部を島とする、海島構造が形成される。
【００５２】
＜積層体作製工程＞
図１４に示すように、剥離層７９を形成した下基材原反７２（第１積層シート７５）の表面に、マスキング層７１１を形成した上基材原反７３の裏面を重ね合わせ、ニップロールＡ３間に通して積層することにより、下から順に、離型シート７１／下粘着剤層７４／下基材原反７２／部分的な剥離層７９／部分的なマスキング層７１１／上粘着剤層７７／上基材原反７３からなる積層体原反７１２を作製する（図１７参照）。
上述のように、上粘着剤露出部を剥離層７９よりも少し小さい平面視形状に形成しているので、図１８及び図１９に示すように、マスキング層７１１が、下基材原反７２の表面及び剥離層７９の周端部に重なり、且つ、上粘着剤露出部が剥離層７９の中央部に重なるようになる。
なお、図１８において、剥離層７９の周縁を小ドットの破線で、上粘着剤露出部の周縁を通常の破線で示している（図２０も同様）。
【００５３】
＜上基材原反の切断工程＞
図１４に示すように、積層体原反７１２を下流側に搬送し、上基材原反７３の表面側から、ダイロールなどの切断具Ａ４を用いて、上基材原反７３の長手方向に所定間隔を開けて複数の切断線７１３を形成する。
この切断線７１３は、（下基材原反７２には至らず）上基材原反７３の厚み方向に貫通する切断線７１３である。前記切断線７１３は、剥離層７９の外形に略対応する位置に形成される。
切断線７１３を剥離層７９の外形（剥離層７９の縁）に略対応する位置に形成するとは、剥離層７９の縁に一致して切断線７１３を形成する、又は、剥離層７９の縁の近傍に沿って切断線７１３を形成するという意味である。剥離層７９の縁に一致するように切断線７１３を精度良く形成することは実際上困難な場合があるので、剥離層７９の縁の近傍に沿って切断線７１３を形成することが好ましくい。
【００５４】
第１例では、図２０及び図２１に示すように、切断線７１３を、マスキング層７１１と剥離層７９が重なった部位内で形成する。これは、剥離層７９の縁の近傍に沿って切断線７１３を形成する場合であり、その切断線７１３は剥離層７９の縁よりも内側の位置に形成される。このような位置に切断線７１３を形成することにより、図１乃至図３に示す第１例の多層ラベル１及び多層ラベル連続体１０が得られるようになる。
第２例では、図２２に示すように、切断線７１３を、剥離層７９の縁に一致する位置で形成する。これは、剥離層７９の縁に一致して切断線７１３を形成する場合である。このような位置に切断線７１３を形成することにより、図４乃至図６に示す第２例の多層ラベル１及び多層ラベル連続体１０が得られるようになる。
第３例では、図２３に示すように、切断線７１３を、上粘着剤露出部の範囲内（剥離層７９のみの範囲内）で形成する。これは、剥離層７９の縁の近傍に沿って切断線７１３を形成する場合であり、その切断線７１３は剥離層７９の縁よりも内側の位置に形成される。このような位置に切断線７１３を形成することにより、図７乃至図９に示す第３例の多層ラベル１及び多層ラベル連続体１０が得られるようになる。
第４例では、図２４に示すように、切断線７１３を、剥離層７９の縁よりも外側で形成する。これは、剥離層７９の縁の近傍に沿って切断線７１３を形成する場合であり、その切断線７１３は、剥離層７９の縁よりも外側の位置に形成される。このような位置に切断線７１３を形成することにより、図１０乃至図１２に示す第４例の多層ラベル１及び多層ラベル連続体１０が得られるようになる。
【００５５】
なお、上記［多層ラベル連続体及び多層ラベル］の欄で説明した、第１例乃至第４例で示した第１側端部乃至第４側端部の構成を任意に組み合わせた多層ラベルは、上記図２１乃至図２４で示した切断線７１３（切断具Ａ４）の位置を適宜組み合わせることにより、製造できる。
【００５６】
＜上基材原反除去工程＞
図１４において、積層体原反７１２から上基材原反７３のうち前記切断線７１３で囲われた領域以外の領域（以下、この領域を上基材原反不要領域という）を、回収ロールＡ６に巻き取りながら除去する。前記上基材原反不要領域は、図２０に示すように、平面視において恰も梯子のような形状をしている。図２０において、上基材原反不要領域を分かり易くするために、その領域に細線網掛けを付している。上基材原反不要領域の裏面においては、上粘着剤層７７の裏面にマスキング層７１１が積層されているので、上基材原反不要領域を下基材原反７２の表面から簡単に剥離でき、回収ロールに回収できる。
このように上基材原反不要領域を除去すると、下基材原反７２の長手方向に複数の上ラベル４が剥離可能に接着された連続体が得られる（図２５参照）。
本発明の多層ラベル連続体は、下基材原反７２が個々に分割されていない状態で提供することもできる。すなわち、図２５に示す状態の連続体を、使用時に下基材原反７２を切断することにより、上ラベル４と下ラベル３からなる多層ラベル１を得ることもできる。
好ましくは、下基材原反７２を切り取り、長尺帯状の離型シート７１上に個々の下ラベル３を形成する。
【００５７】
＜下基材原反の切断工程＞
図１４に示すように、前記個々の上ラベル４が形成された下基材原反７２を下流側に搬送し、その表面側から、ダイロールなどの切断具Ａ７を用いて、下基材原反７２の長手方向に所定間隔を開けて複数の下基材切断線７１４を形成する。
この下基材切断線７１４は、（離型シート７１には至らず）下基材原反７２の厚み方向に貫通する切断線である。前記下基材切断線７１４は、下ラベル３の外形に対応する位置に形成される（図２６参照）。
【００５８】
＜下基材原反除去工程＞
図１４において、下基材原反７２のうち前記下基材切断線７１４で囲われた領域以外の領域（以下、この領域を下基材原反不要領域という）を、回収ロールに巻き取りながら除去する。前記下基材原反不要領域は、図２６に示すように、平面視において恰も梯子のような形状をしている。図２６において、下基材原反不要領域を分かり易くするために、その領域に細線網掛けを付している。下基材原反７２は、離型シート７１に積層されているので、下基材原反不要領域を離型シート７１の表面から簡単に剥離でき、回収ロールＡ８に回収できる。
なお、下基材原反７２を切断する際に上ラベル４の僅かな部分を同時に切断し、この僅かな部分を下基材原反不要領域とともに離型シート７１から剥離除去してもよい。
【００５９】
このように下基材原反不要領域を除去すると、離型シート７１の長手方向に、複数の下ラベル３及び上ラベル４を有する多層ラベル１が剥離可能に接着された、図１乃至図１２に示すような多層ラベル連続体１０が得られる。
得られた多層ラベル連続体１０は、通常、図１４に示すように、ロール状に巻き取られ、保管・運搬に供される。
【００６０】
本発明の製造方法によれば、下ラベル３の表面に剥離層５が実質的に露出しない多層ラベル連続体１０を容易に製造することができる。
かかる多層ラベル連続体１０について、離型シート７１から多層ラベル１を剥離し、多層ラベル１を様々な被着体に貼り付けて使用する。
【００６１】
［ラベル付き容器］
例えば、多層ラベル１は、容器に貼り付けて使用される。
図２７及び図２８は、容器９と、前記容器９に装着された多層ラベル１と、を有するラベル付き容器８を示す。
前記容器９は、特に限定されず、ボトル型容器、柱状容器、瓢箪型容器、スプレーノズル付き容器、紙箱、樹脂成形ケース、金属ケースなどの従来公知のものを用いることができる。また、容器に入れられる物品も特に限定されず、医薬品、飲料、食品、化粧品、シャンプーなどのサニタリー品、文具、おもちゃなどが挙げられる。
容器９の材質は、特に限定されず、合成樹脂、ガラス、金属、紙、合成紙、陶器などが挙げられる。
【００６２】
例えば、容器９は、底面部９１と、底面部９１の上方に形成された胴部９２と、蓋部９３と、を有する。多層ラベル１は、前記容器９の胴部９２の少なくとも一部を含んで装着される。
胴部９２の形状は、特に限定されず、略円柱状、略楕円柱状、略円錐台状、略楕円錐台状、略四角柱状などの略多角柱状などが挙げられる。前記略円柱状、略楕円柱状、略円錐台状、略楕円錐台状の「略」は、例えば、周の一部が僅かに膨らむ又は窪んでいる形状、周の一部が若干直線又は斜線とされた形状などが含まれる。前記略四角柱状などの略多角柱状の「略」は、例えば、角部が面取りされている形状、辺の一部が僅かに膨らむ又は窪んでいる形状、辺が若干湾曲している形状などが含まれる。
【００６３】
ラベル付き容器８は、多層ラベル１が容器９の胴部９２の周りに巻き付けられ、且つ下ラベル３の第１側端部１１の表面に下ラベル３の第２側端部１２の裏面を重ね合わせて接着されている。
このようなラベル付き容器８は、図２９に示すように、多層ラベル１の第１側端部１１を、下粘着剤層３２を介して容器９に接着し、多層ラベル１を容器９の周囲に巻き付けた後、多層ラベル１の第１側端部１１の表面に多層ラベル１の第２側端部１２の裏面を重ね合わせ、下粘着剤層３２を介して接着することによって得られる。なお、装着された多層ラベル１は、その横方向が容器９の周方向となる。
下ラベル３の下基材が熱収縮性を有するシートから形成されている場合には、多層ラベル１を容器９の周囲に巻き付けた後、熱収縮温度に加熱してもよい。加熱によって、下ラベル３が周方向に収縮するので、多層ラベル１を容器９に密着させることができる。
多層ラベル１の少なくとも第１側端部１１の表面には、剥離層５が設けられていないので、下粘着剤層３２を介して、多層ラベル１（下ラベル３）の第１側端部１１の表面に、多層ラベル１（下ラベル３）の第２側端部１２の裏面を剥離困難な程度に接着できる。
かかるラベル付き容器８は、多層ラベル１の第２側端部１２が捲れ難くなる。
特に、図７乃至図９の第３例の多層ラベル１にあっては、上粘着剤層４２と剥離層５の間にマスキング層６が介在されていないので、上ラベル４の端部が下ラベル３から不用意に剥がれることを防止できる。
また、上ラベル４は、下ラベル３の表面に剥離可能に接着されているので、必要に応じて上ラベル４を引き剥がし、異なる箇所に再貼付して使用できる。
特に、図１乃至図６及び図１０乃至図１２の第１例、第２例及び第４例の多層ラベル１にあっては、上粘着剤層４２の端部と剥離層５の間にマスキング層６が介在されているので、上ラベル４の端部から上ラベル４を容易に引き剥がすことができる。
【００６４】
本発明は、上記第１実施形態に限られず、様々に変更することができる。
以下、本発明の様々な他の実施形態を説明するが、上記第１実施形態と同様の構成及び効果は、（その説明をしたものとして）説明を省略し、用語及び符号をそのまま援用する。
【００６５】
（第２実施形態）
上記第１実施形態の多層ラベル１の上ラベル４が複数の子ラベルに分割可能に構成されている又は複数の子ラベルに分割されていてもよい。
例えば、図３０に示すように、上ラベル４の面内に、ミシン目線４９を少なくとも１本形成することにより、上ラベル４は、そのミシン目線４９にて２つの小ラベル４Ａに分割可能である。なお、図示例では、上ラベル４の面内に、縦方向に延びるミシン目線４９が横方向に間隔を開けて６本形成されており、上ラベル４は、７つの子ラベル４Ａに分割できる。ミシン目線４９は、上ラベル４にのみ形成されており、下ラベル３及び離型シート２には、ミシン目線は形成されていない。
また、前記ミシン目線４９に代えて、ハーフカット線を用いてもよく、この場合でも上ラベル４は複数の子ラベル４Ａに分割可能に構成される。さらに、前記ミシン目線４９に代えて、上ラベル４を２つに分断する切込み線（図示せず）を用いることにより、上ラベル４は複数の子ラベルに分割される。
このように複数の子ラベル９に分割可能な上ラベル４は、例えば、医療用途において次のような方法で使用できる。全ての子ラベル４Ａに患者番号などを印字し、１つの子ラベル４Ａを調剤棚に貼り、他の子ラベル４Ａを小分けにした薬剤容器に貼り付けるなどの使用法で用いることができる。
第２実施形態に示すミシン目線４９（又はハーフカット線又は切込み線）が上ラベル４に形成された多層ラベル１は、例えば、上記第１実施形態で説明した＜上基材原反の切断工程＞で、切断線７１３の形成と同時に又は切断線７１３の形成と前後して、上基材原反７２の所定箇所にミシン目線４９（又はハーフカット線又は切込み線）を形成することによって得ることができる。
【００６６】
（第３実施形態）
上記第１又は第２実施形態の多層ラベル１の下ラベル３が分割可能に構成されていてもよい。
例えば、図３１に示すように、下ラベル３の面内に、ミシン目線３９を少なくとも１本形成することにより、下ラベル３は、そのミシン目線３９にて分割可能である。なお、図示例では、下ラベル３の面内に、横方向に延びるミシン目線３９が縦方向中途部に１本形成されており、下ラベル３は、そのミシン目線３９にて分割できる。ミシン目線３９は、上ラベル４が積層されている部分に形成されていてもよいが、好ましくは、図示例のように、上ラベル４が積層されていない部分に形成される。ミシン目線３９は、下ラベル３にのみ形成されており、上ラベル４及び離型シート２には、ミシン目線は形成されていない。
また、前記ミシン目線３９に代えて、ハーフカット線を用いてもよく、この場合でも下ラベル３は複数に分割可能に構成される。
なお、図示例では、上ラベル４の全ての縁（周縁）が下ラベル３の全ての縁に一致せずに、上ラベル４が下ラベル３の表面内に積層されている。
第３実施形態に示すミシン目線３９（又はハーフカット線）が下ラベル３に形成された多層ラベル１は、例えば、上記第１実施形態で説明した＜下基材原反の切断工程＞で、切断線７１４の形成と同時に又は切断線７１４の形成と前後して、下基材原反７２の所定箇所にミシン目線３９（又はハーフカット線）を形成することによって得ることができる。
【００６７】
本実施形態の多層ラベル１は、例えば、図３２に示すように、多層ラベル１の第１側端部１１を、下粘着剤層３２を介して容器９に接着する。多層ラベル１の下ラベル３は、装着時に下ラベル３の上方部及び下方部が容器の上端及び下端から突出する程度の縦方向長さに形成されていることが好ましい。また、ミシン目線３９が、容器９の蓋部９３の下端又はその近傍に対応するように位置合わせすることが好ましい。
第１側端部１１を接着した後、多層ラベル１を容器９の周囲に巻き付け、多層ラベル１の第１側端部１１の表面に多層ラベル１の第２側端部１２の裏面を重ね合わせ、下粘着剤層３２を介して接着する（図３３参照）。次に、多層ラベル１を加熱すると、下ラベル３が熱収縮して、図３４に示すように、下ラベル３の上方部が容器９の上面（蓋部９３の上面）に沿って折れ曲がり且つ下ラベル３の下方部が容器９の下面（底面部９１）に沿って折れ曲がり、上方部及び下方部を含む下ラベル３の略全体が容器９の外面に略密着したラベル付き容器８が得られる。
【００６８】
かかるラベル付き容器８は、蓋部９３を含む容器９の略全体が多層ラベル１によって覆われているが、ミシン目線３９を利用して多層ラベル１（下ラベル３）の上方部を下方部から分離して除去することにより、蓋部９３を開封できる。
このように容器９の略全体を覆うような大きさ及び形状に形成する場合、バリア層を具備した下ラベル３及び上ラベル４を用いることにより、遮光性に優れたラベル付き容器８を構成できる。
【００６９】
（その他の実施形態）
上記各実施形態の上ラベル４について、透明な上基材４１の表面及び裏面にデザイン層を設け、且つ透明な上粘着剤層４２及びマスキング層６を用いることにより、上ラベル４を剥離した後、上ラベル４の表裏面において各デザインが見えるようになる。例えば、上基材４１の裏面に設けるデザイン層として、籤情報、おまけ情報、料理レシピなどを印刷しておくことにより、上ラベル４をいわゆるキャンペーンラベルとして利用することができる。
【００７０】
また、上記各実施形態の下ラベル３の一部分を透明にしておいてもよい。例えば、下ラベル３のうち上ラベル４が積層された部分を透明にしておく。このように一部分を透明にする方法としては、例えば、透明な剥離層５、下基材３１及び下粘着剤層３２を用い、その透明な下基材３１の一部分を除いて不透明なデザイン層を設けることなどが挙げられる。上ラベル４の積層部分が透明とされた下ラベル３を有する積層ラベル１は、例えば、第３実施形態で示したような、容器９の略全体を覆うように装着することが効果的である。すなわち、上ラベル４の積層部分が透明とされた下ラベル３を有する積層ラベル１が容器９の略全体を覆うように容器９に装着されたラベル付き容器８は、その積層ラベル１によって、容器内を視認することが困難である。しかし、上ラベル４を剥離すると、下ラベル３の透明部分が現れるので、その透明部分から容器内に入れられた物品を透視することができる。
【００７１】
なお、上記様々な実施形態から選ばれる２以上の実施形態を適宜組み合わせてもよく、或いは、上記様々な実施形態から選ばれる１つ又は２つ以上の構成を、それ以外の実施形態に置換してもよい。例えば、第２実施形態で示した一部の構成（例えば、第２実施形態の上ラベル４）を、第３実施形態の一部の構成（第３実施形態の上ラベル４）に置換などしてもよい。
【符号の説明】
【００７２】
１  多層ラベル
１０  多層ラベル連続体
１１  多層ラベル（下ラベル）の第１側端部
１２  多層ラベル（下ラベル）の第２側端部
２，７１  離型シート
３  下ラベル
３１  下基材
３２  下ラベルの粘着剤層
４  上ラベル
４１  上基材
４２  上ラベルの粘着剤層
５  剥離層
６  マスキング層
７２  下基材原反
７３  上基材原反
７４  下基材原反の粘着剤層
７７  上基材原反の粘着剤層
７９  下基材原反に形成された剥離層
７１１  上基材原反の粘着剤層に形成されたマスキング層
７１３  上基材原反の切断線
【図１】
2018052083.tif 000003
【図２】
2018052083.tif 000004
【図３】
2018052083.tif 000005
【図４】
2018052083.tif 000006
【図５】
2018052083.tif 000007
【図６】
2018052083.tif 000008
【図７】
2018052083.tif 000009
【図８】
2018052083.tif 000010
【図９】
2018052083.tif 000011
【図１０】
2018052083.tif 000012
【図１１】
2018052083.tif 000013
【図１２】
2018052083.tif 000014
【図１３】
2018052083.tif 000015
【図１４】
2018052083.tif 000016
【図１５】
2018052083.tif 000017
【図１６】
2018052083.tif 000018
【図１７】
2018052083.tif 000019
【図１８】
2018052083.tif 000020
【図１９】
2018052083.tif 000021
【図２０】
2018052083.tif 000022
【図２１】
2018052083.tif 000023
【図２２】
2018052083.tif 000024
【図２３】
2018052083.tif 000025
【図２４】
2018052083.tif 000026
【図２５】
2018052083.tif 000027
【図２６】
2018052083.tif 000028
【図２７】
2018052083.tif 000029
【図２８】
2018052083.tif 000030
【図２９】
2018052083.tif 000031
【図３０】
2018052083.tif 000032
【図３１】
2018052083.tif 000033
【図３２】
2018052083.tif 000034
【図３３】
2018052083.tif 000035
【図３４】
2018052083.tif 000036